(57)【要約】【課題】各月ごとの消費電力量又は電気料金を正確に知ることができる空気調和機を提供することである。【解決手段】赤外線信号による双方向通信が可能な空気調和機本体とデータ表示装置とを有する空気調和機であって、空気調和機本体は、空気調和機の消費電力又は電気料金（以下、消費電力等という）を計測する手段と、計測した消費電力等を積算する手段と、積算した消費電力等をデータ表示装置に送信する手段と、外部からの信号を受信する手段と、この受信する手段がリセット信号を受信した場合に積算消費電力等をリセットする手段と、を備え、データ表示装置は、カレンダ機能を有する時計手段と、表示部と、時計手段において月が変わった場合にリセット信号を空気調和機本体に送信する手段と、空気調和機本体から送信された積算消費電力等を受信する手段と、この受信する手段によって受信された積算消費電力等を表示部に表示する手段と、を備える。【選択図】    図５
2009236423.tif 000002
【特許請求の範囲】
【請求項１】
赤外線信号による双方向通信が可能な空気調和機本体とデータ表示装置とを有する空気調和機であって、
前記空気調和機本体は、前記空気調和機の消費電力又は電気料金を計測する手段と、計測した前記消費電力又は前記電気料金を積算する手段と、積算した前記消費電力又は前記電気料金の積算データを前記データ表示装置に送信する手段と、外部からの信号を受信する手段と、この受信する手段がリセット信号を受信した場合に前記消費電力又は前記電気料金の積算データをリセットする手段と、を備え、
前記データ表示装置は、カレンダ機能を有する時計手段と、表示部と、前記時計手段において月が変わった場合にリセット信号を前記空気調和機本体に送信する手段と、前記空気調和機本体から送信された前記消費電力又は前記電気料金の積算データを受信する手段と、この受信する手段によって受信された前記消費電力又は前記電気料金の積算データを前記表示部に表示する手段と、を備えることを特徴とする空気調和機。
【請求項２】
前記データ表示装置は、前記時計手段の設定操作が行なわれた場合に、前記消費電力又は前記電気料金の積算データをリセットするリセット信号を前記空気調和機本体に送信する手段を備えることを特徴とする請求項１記載の空気調和機。
【請求項３】
前記空気調和機本体は、計時手段と、前記消費電力又は前記電気料金の積算データを前記計時手段の計時結果に基づいてリセットする手段と、を備え、前記計時手段による計時結果に基づくリセットの時間間隔は、前記データ表示装置から前記リセット信号が送信される最大間隔と同じか僅かに長いことを特徴とする請求項１又は２記載の空気調和機。
【発明の詳細な説明】
【技術分野】
【０００１】
本発明は、空気調和機に関し、特に、消費電力や電気料金を計測する機能及びその計測結果を表示する機能を備えた空気調和機に関する。
【背景技術】
【０００２】
近年、家庭やオフィス等で使用される空気調和機には、室内機（空気調和機本体）とリモートコントローラとに赤外線信号を利用した双方向通信機能を持たせ、室内機とリモートコントローラとの間で各種のデータを送受信するようにしたものが普及している。このような空気調和機としては、例えば、下記特許文献１に記載されたものが知られている。
【０００３】
特許文献１に記載された空気調和機では、消費電力又は電気料金を計測する手段と、予め設定した期間（例えば、３０日）を計測するタイマと、計測した消費電力又は電気料金を設定した期間内において積算する手段とが室内機に設けられている。リモートコントローラには室内機に対してデータの送信を要求する手段が設けられており、リモートコントローラから室内機に対してデータの送信要求が行なわれた場合には、積算された消費電力（消費電力量）又は電気料金のデータが室内機からリモートコントローラに送信される。リモートコントローラに送信された消費電力量又は電気料金のデータは、リモートコントローラの表示部に表示される。
【０００４】
なお、予め設定した期間が経過した場合には、積算された消費電力（消費電力量）又は電気料金がリセットされ、新たな積算が開始される。
【特許文献１】特開２００１−９９４６５号公報
【発明の開示】
【発明が解決しようとする課題】
【０００５】
しかしながら、特許文献１に記載された空気調和機では、以下の点について考慮されていない。
【０００６】
室内機において消費電力又は電気料金を積算する所定の期間は、室内機の電源が投入された場合に開始される。したがって、室内機で消費電力又は電気料金を積算する起算日は個々の空気調和機によりばらばらとなり、ユーザは、表示部に表示された消費電力量又は電気料金を見ても、その消費電力量又は電気料金が積算を開始してからどのくらい経過しているものであるかということを知ることができない。また、一般にユーザは、当月での消費電力量又は電気料金を知ることを望む。しかしながら、起算日を毎月１日にしなければ、当月分の消費電力量又は電気料金を確認できない。そこで、起算日を毎月１日にユーザが設定することも考えられるが、非常に面倒である。
【０００７】
また、空気調和機の室内機にカレンダ機能を持つ時計を組み込み、この時計のカレンダを基準として消費電力又は電気料金を積算することも考えられるが、空気調和機は一般的な家庭用の商用電源を電源としているため、停電等により電源遮断されると時計がリセットされてしまい使えなくなるため、実用的でない。
【０００８】
本発明はこのような課題を解決するためになされたものであり、その目的は、各月ごとの消費電力量又は電気料金を正確に知ることができる空気調和機を提供することである。
【課題を解決するための手段】
【０００９】
本発明の実施の形態に係る第一の特徴は、赤外線信号による双方向通信が可能な空気調和機本体とデータ表示装置とを有する空気調和機であって、前記空気調和機本体は、前記空気調和機の消費電力又は電気料金を計測する手段と、計測した前記消費電力又は前記電気料金を積算する手段と、積算した前記消費電力又は前記電気料金の積算データを前記データ表示装置に送信する手段と、外部からの信号を受信する手段と、この受信する手段がリセット信号を受信した場合に前記消費電力又は前記電気料金の積算データをリセットする手段と、を備え、前記データ表示装置は、カレンダ機能を有する時計手段と、表示部と、前記時計手段において月が変わった場合にリセット信号を前記空気調和機本体に送信する手段と、前記空気調和機本体から送信された前記消費電力又は前記電気料金の積算データを受信する手段と、この受信する手段によって受信された前記消費電力又は前記電気料金の積算データを前記表示部に表示する手段と、を備えることである。
【発明の効果】
【００１０】
本発明によれば、各月ごとの消費電力又は電気料金を正確に知ることができる。
【発明を実施するための最良の形態】
【００１１】
以下、本発明の一実施の形態を図面を用いて説明する。本発明の一実施の形態に係る空気調和機１は、図１に示すように、空気調和機本体である室内機２及び室外機３と、リモートコントローラ４と、データ表示装置５とを備えている。
【００１２】
室内機２は室内の壁面等に取付けられ、この室内機２と室外に設置された室外機３とが接続されている。
【００１３】
リモートコントローラ４は、空気調和機１を運転操作するために用いられ、リモートコントローラ４と室内機２との間で赤外線信号による双方向通信が行われる。
【００１４】
データ表示装置５は、空気調和機１の運転状態等に関する各種のデータを表示するために用いられ、データ表示装置５と室内機２との間で赤外線信号による双方向通信が行われる。データ表示装置５は三角筒状の筐体４０を有しており、筐体４０の前面部４１には、室内機２から送信されたデータを表示する表示部２９と、操作ボタン３１と、送信部３３と、受信部３４とが設けられている。なお、送信部３３の送信素子（赤外線発光ＬＥＤ）と受信部３４の受光素子（赤外線受光フォトトランジスタ）とは、筐体４０における操作ボタン３１がある前面部４１とその裏側に位置する背面部４５とに設けられている。これにより、このデータ表示装置５は、赤外線信号を発信する範囲、及び、赤外線信号を受信する範囲が広くなり、室内機２との間での赤外線信号の送受信の性能向上が図られている。
【００１５】
図２は、データ表示装置５の表示部２９の表示例を示す正面図である。表示部２９は、３つの表示領域４２、４３、４４に区分けされている。左側の表示領域４２は、西暦の年月日表示部４２ａと、午前と午後の時刻表示部４２ｂとを有している。中央の表示領域４３は、室内の摂氏温度と湿度の表示部４３ａと、おすすめ運転の摂氏温度（推奨運転温度）の表示部４３ｂと、屋外摂氏温度表示部４３ｃとを有している。右側の表示領域４４は、赤外線による受信信号の受信エラー通知表示部４４ａと、運転時間表示部４４ｂと、今月の積算した消費電力（消費電力量）を表示する消費電力量表示部４４ｃとを有している。なお、この消費電力量表示部４４ｃには、今月の電気代を表示するようにしてもよい。
【００１６】
図３は、空気調和機１の内部構成を示すブロック図である。
【００１７】
室内機２には、この室内機２に設けられた各部を制御する制御部６が設けられている。制御部６は、各種の演算を行うＣＰＵ、プログラム等の固定データを格納したＲＯＭ、計測したデータ等の可変データを記憶したり演算時の演算領域として使用されるＲＡＭを備えている。さらに、室内機２には、送風ファン７、室内熱交換器８、電流センサ９、室内温度センサ１０、時計手段であるタイマ１１、送信部１２、受信部１３等が設けられている。
【００１８】
送風ファン７は、室内の空気を室内熱交換器８に向けて送風する。送風ファン７により送風された空気は室内熱交換器８により加熱され又は冷却され、温風又は冷風となって室内に吹き出す。これにより、室内の暖房又は冷房が行なわれる。
【００１９】
電流センサ９は、商用交流電源に接続され、空気調和機１の運転時の消費電流を計測する。電流センサ９で電流が計測されると、計測された電流に基づいて瞬時消費電力が演算して求められ、演算された消費電力は積算され、その積算値は制御部６内のＲＡＭまたは別途設けられたＥＥＰＲＯＭ（不揮発性メモリ）に記録される。なお、積算された消費電力は、後述するようにデータ表示装置５からリセット信号が送信されたタイミングで、又は、室内機２内での日数のカウント結果に基づいてリセット（クリア）される。
【００２０】
室内温度センサ１０は、室内の温度を計測する。
【００２１】
計時手段であるタイマ１１は、少なくともカウントスタート時から経過した日数をカウントできるものであればよい。このタイマ１１は、実際にはＣＰＵの演算によって作られる。
【００２２】
送信部１２は、室内機２とリモートコントローラ４との間、又は、室内機２とデータ表示装置５との間で赤外線信号による通信が行われる場合に、赤外線信号を送信する。
【００２３】
受信部１３は、室内機２とリモートコントローラ４との間、又は、室内機２とデータ表示装置５との間で赤外線信号による通信が行われる場合に、赤外線信号を受信する。
【００２４】
室外機３には、この室外機３に設けられた各部を制御する制御部１４が設けられている。制御部１４は、各種の演算を行うＣＰＵ、プログラム等の固定データを格納したＲＯＭ、計測したデータ等の可変データを記憶したり演算時の演算領域として使用されるＲＡＭを備えている。さらに、室外機３には、送風ファン１５、室外熱交換器１６、圧縮機１７、室外温度センサ１８等が設けられている。
【００２５】
送風ファン１５は室外の空気を室外熱交換器１６に向けて送風し、室外熱交換器１６内の冷媒に放熱又は吸熱を行なわせる。
【００２６】
圧縮機１７は、冷媒の圧縮を行なう。
【００２７】
室外温度センサ１８は、室外の温度を計測する。
【００２８】
室外熱交換器１６と室内熱交換器８とは、冷媒が流れる冷媒配管１９により接続されている。室外機３の制御部１４と室内機２の制御部６とは、信号線２０により接続されている。前述のように、本実施の形態では、室内機２において消費電流の計測、瞬時消費電力の演算、消費電力の積算を行なわせたが、室内機２と室外機３とは信号線２０により通信可能であるため、これらの室内機２の各機能はすべて室外機３に設けたり、各機能を室内機２と室外機３とに分散処理させることも可能である。また、電気代は電力量×電気代単価（ｋＷ／円）により簡単な演算で算出できる。このため、瞬時消費電力の演算ができれば、これに電気代単価を掛けて瞬時電気代が算出できる。また、積算電気代の算出は、瞬時電気代を積算してもよいし、積算消費電力（消費電力量）に電気代単価を掛けて積算電気代を算出することも可能である。消費電力の計測及びその積算は、空気調和機本体１すなわち室内機２または室外機３でしかできないが、電気代への換算は、リモートコントローラ４やデータ表示装置５でも実行可能である。  リモートコントローラ４は、空気調和機１を運転操作する場合や室内機２のデータ取得に用いられる。
【００２９】
リモートコントローラ４には、このリモートコントローラ４に設けられた各部を制御する制御部２１が設けられている。制御部２１は、各種の演算を行うＣＰＵ、プログラム等の固定データを格納したＲＯＭ、通信されるデータ等の可変データを記憶したり演算時の演算領域として使用されるＲＡＭを備えている。さらに、リモートコントローラ４には、表示部２２、各種の操作ボタン２３、送信部２４、受信部２５、乾電池２７等が設けられている。
【００３０】
送信部２４は、リモートコントローラ４と室内機２との間で赤外線信号による通信が行われる場合に、赤外線信号を送信する。
【００３１】
受信部２５は、リモートコントローラ４と室内機２との間で赤外線信号による通信が行われる場合に、赤外線信号を受信する。
【００３２】
表示部２２には、リモートコントローラ４と室内機２との間で送受信される各種のデータ、例えば、設定温度や設定風量等の空気調和機１の運転条件のデータや、空気調和機１の消費電力の積算データ（消費電力量）や、室内温度のデータや、室外温度のデータ等が表示される。具体的には、リモートコントローラ４の操作ボタン２３の内、データ送信要求に対応する操作ボタンが押圧されるとデータ送信要求の信号が室内機２に送られ、室内機２はこの信号を受信し、積算された消費電力（消費電力量）、室内温度、室外温度を含む各種の空気調和機１のデータが、室内機２からリモートコントローラ４に赤外線信号等で送信される。リモートコントローラ４は、このデータ信号を受信部２５にて受信し、その内容を表示部２２に表示する。本実施形態においては、リモートコントローラ４の表示部２２で電気代を表示させる場合には、リモートコントローラ４が送信されてきた積算消費電力に電気代単価を掛けて積算電気代を算出した後、それを表示部２２に表示する。
【００３３】
データ表示装置５は、室内機２から送信される空気調和機１の消費電力量、他の各種データを表示する場合に用いられる。データ表示装置５は、リモートコントローラ４と同様に室内機２との間で赤外線信号による双方向通信が可能となっている。なお、データ表示装置５と室内機２との間及びリモートコントローラ４と室内機２との間の通信信号は、同じ命令や同じデータであれば同じコードを使用し、通信の簡素化を図っている。
【００３４】
データ表示装置５には、このデータ表示装置５に設けられた各部を制御する制御部２８が設けられている。制御部２８は、各種の演算を行うＣＰＵ、プログラム等の固定データを格納したＲＯＭ、通信されるデータ等を記憶したり演算時の演算領域として使用されるＲＡＭとを備えている。さらに、データ表示装置５には、表示部２９、バックライト３０、操作ボタン３１、カレンダ機能を有する時計手段３２、送信部３３、受信部３４、乾電池３５等が設けられている。
【００３５】
送信部３３は、室内機２との間で赤外線信号による通信が行われる場合に、赤外線信号を送信する。また、カレンダ機能を有する時計手段３２において月が変わった場合には、室内機２で求められた消費電力の積算データをリセットするためのリセット信号が送信部３３から室内機２に対して自動的に送信される。
【００３６】
受信部３４は、室内機２との間で赤外線信号による通信が行われる場合に、赤外線信号を受信する。
【００３７】
表示部２９には、室内機２から送信される各種のデータ、例えば、室内機２で求められた消費電力の積算データや、室内温度のデータや、室外温度のデータ等が表示される。なお、室内機２からデータ表示装置５へのデータ送信は、データ表示装置５から室内機２に対してデータ送信要求の赤外線信号が送信された場合に行なわれる。
【００３８】
操作ボタン３１は、データ表示装置５から室内機２に対してデータ送信要求をする場合に押されるボタンである。操作ボタン３１が押されることにより、送信部３３から室内機２に向けてデータ送信要求の赤外線信号が送信される。
【００３９】
バックライト３０は、表示部２９の表示面を照明するために点灯され、この点灯により表示部２９に表示されるデータが見易くなる。
【００４０】
カレンダ機能を有する時計手段３２は、時分を計測する機能に加えて、少なくとも何月何日という月日を計測する機能を有する。時計手段３２は、制御部２８とは別のＣＰＵを設けて時間カウントを行なわせても良いし、制御部２８のＣＰＵで演算処理させて生成させてもよい。
【００４１】
ここで、データ表示装置５と室内機２との間で行なわれる赤外線信号による双方向通信の制御について、図４及び図５のフローチャートに基づいて説明する。なお、図４は室内機２の制御について示し、図５はデータ表示装置５の制御について示している。
【００４２】
室内機２においては、図４に示すように、空気調和機１の電源がオンになることによりタイマ１１による日数（Ｔ）のカウントが開始され（Ｓ１）、さらに、電流センサ９による消費電流の計測が開始され（Ｓ２）、計測された消費電流の値と商用電源の電圧値とに基づいて消費電力が演算される（Ｓ３）。演算された消費電力は積算される（Ｓ４）。
【００４３】
ついで、タイマ１１がカウントしている日数（Ｔ）が、３１日を越えたか否かが判断される（Ｓ５）。この３１日という数値は、ひと月の日数が最も多い月の日数である。
【００４４】
カウントした日数（Ｔ）が３１日以下である場合には（Ｓ５のＮＯ）、受信部１３がデータ送信要求の赤外線信号を受信したか否かが判断される（Ｓ６）。データ送信要求の赤外線信号を受信した場合には（Ｓ６のＹＥＳ）、消費電力の積算データ（消費電力量）等の各種データを送信部１２から送信し（Ｓ７）、ステップＳ２に戻る。ここで、データ送信要求の赤外線信号は、データ表示装置５またはリモートコントローラ４のいずれからも送信可能になっている。データ表示装置５またはリモートコントローラ４のいずれにおいても、消費電力量低減のため、受信部２５，３４が動作するのはデータ送信要求の信号を出力してから所定期間に限られている。したがって、データ送信要求の赤外線信号を送信したデータ表示装置５またはリモートコントローラ４のみが室内機２のデータを受信し、その表示部２２，２９に表示することとなる。言い換えると、操作ボタン３１または２３が操作されなかった側のデータ表示装置５またはリモートコントローラ４は、受信部２５または３４が動作していないため、室内機２がその送信部１２からデータ信号を送信しても受信はしない。ちなみに、室内機２は、商用電源を電源とするため、消費電力量の低減は不要であるため、受信部１３は常に動作している。
【００４５】
データ送信要求の赤外線信号を受信しない場合は（Ｓ６のＮＯ）、データ表示装置５からリセット信号（赤外線信号）を受信したか否かが判断される（Ｓ８）。リセット信号を受信しない場合には（Ｓ８のＮＯ）、ステップＳ２に戻る。一方、リセット信号を受信した場合には（Ｓ８のＹＥＳ）、消費電力の積算データがリセットされ（Ｓ９）、日数（Ｔ）のカウントデータがリセットされ（Ｓ１０）、ステップ１に戻る。
【００４６】
一方、カウントした日数（Ｔ）が３１日を越えた場合（Ｓ５のＹＥＳ）、自動的に消費電力の積算データがリセットされ（Ｓ９）、日数（Ｔ）のカウントデータがリセットされ（Ｓ１０）、ステップ１に戻る。後述するようにデータ表示装置５からリセット信号が送信されるのは月の変更があった場合である。このため、データ表示装置５からは、最長で３１日の間隔でリセット信号が自動的に送信される。したがって、室内機２のステップＳ９に示す積算データのリセットの間隔（３１日）は、データ表示装置５から自動的に出力されるリセット信号の送信時間間隔と同じか僅かに長い（１〜３日）ことになる。
【００４７】
データ表示装置５においては、図５に示すように、図示しない時刻設定ボタンの操作によってデータ表示装置５の時計手段３２の出力する日時を現在の日時に設定する操作が行われたか否かが判断され（Ｓ１１）、日時の設定が行なわれた場合には（Ｓ１１のＹＥＳ）、室内機２の消費電力の積算データをリセットするリセット信号が室内機２に対して送信される（Ｓ１２）。この日時設定は、一般的にはデータ表示装置５の乾電池３５交換時等にユーザによって実施されるもので、通常の使用時にはほとんど操作されることはない。このリセット信号が室内機２に送信されると、室内機２では、図４のフローチャートのステップＳ８で示したリセット信号の受信が行なわれる。
【００４８】
ステップＳ１１にて日時の設定が行なわれた場合（Ｓ１１のＹＥＳ）、行なわれなかった場合（Ｓ１１のＮＯ）のいずれにおいても、時計手段３２においてカウントが行なわれる（Ｓ１３）。そして、時計手段３２でカウントしている日時がある月の１日の午前０：００時になったか否か、別の言い方をすると、月が変わったか否かが判断される（Ｓ１４）。
【００４９】
月が変わったと判断された場合には（Ｓ１４のＹＥＳ）、リセット信号が室内機２に対して送信され（Ｓ１５）、ステップＳ１１に戻る。このリセット信号が室内機２に送信されると、このリセット信号は、図４のフローチャートのステップＳ８に示したように室内機２で受信され、消費電力の積算データがリセットされ（Ｓ９）、日数（Ｔ）のカウントデータがリセットされ（Ｓ１０）る。
【００５０】
一方、ステップＳ１４において月が変わっていないと判断された場合には（Ｓ１４のＮＯ）、操作ボタン３１が押されたか否かが判断される（Ｓ１６）。操作ボタン３１が押されていない場合には（Ｓ１６のＮＯ）、ステップＳ１に戻る。
【００５１】
操作ボタン３１が押された場合には（Ｓ１６のＹＥＳ）、室内機２に対してデータ送信要求の赤外線信号が送信され（Ｓ１７）、バックライト３０が点灯され（Ｓ１８）、バックライト３０の点灯時間（ｔ）のカウントが開始される（Ｓ１９）。バックライト３０の点灯時間（ｔ）は、例えば、５秒などの短時間に設定されている。乾電池３５の消耗を抑えるためである。
【００５２】
なお、データ送信要求の赤外線信号が室内機２に送信され、このデータ送信要求の赤外線信号が図４のフローチャートのステップＳ６に示したように室内機２で受信されると、図４のフローチャートのステップＳ７に示したように消費電力の積算データが室内機２からデータ表示装置５に送信される。
【００５３】
つぎに、消費電力の積算データを受信したか否かが判断され（Ｓ２０）、受信した場合には（Ｓ２０のＹＥＳ）、受信した消費電力の積算データが、今月(当月)の現時点での消費電力量として表示部２９に表示される（Ｓ２１）。なお、本実施形態においては、リモートコントローラ４と同様にデータ表示装置５の消費電力量表示部４４ｃに電気代を表示させることもでき、その場合には、送信されてきた積算消費電力（消費電力量）に電気代単価を掛けて積算電気代を算出した後、それを表示する。
【００５４】
一方、消費電力の積算データを受信できなかった場合は（Ｓ２０のＮＯ）、表示部３６に受信失敗の表示が行なわれる（Ｓ２２）。そして、ステップＳ２１又はＳ２２の表示が行なわれた後、バックライト３０の点灯時間（ｔ）が設定時間を経過したか否かが判断され（Ｓ２３）、点灯時間（ｔ）が設定時間を経過した場合には（Ｓ２３のＹＥＳ）、ステップＳ２１又はＳ２２の表示が終了し（Ｓ２４）、バックライト３０が消灯し（Ｓ２５）、点灯時間（ｔ）がクリアされ（Ｓ２６）、ステップＳ１１に戻る。
【００５５】
このような構成において、この空気調和機１によれば、図５のステップＳ１４に示すように、データ表示装置５において月が変わったか否かを判断しており、月が変わった場合にはステップＳ１５に示すようにデータ表示装置５から室内機２にリセット信号が送信され、ステップＳ９に示すように室内機２において求められた消費電力の積算データがリセットされる。
【００５６】
このため、月が変わった場合には室内機２における消費電力のデータの積算が新たに開始され、データ表示装置５の操作ボタン３１を押すことにより表示部２９に表示される消費電力の積算データは、その月（当月）の積算値を表わすデータとなる。これにより、ユーザは、その月における空気調和機１の消費電力を正確に知ることができ、その月のその時点までの空気調和機１の消費電力が多いか否かを認識することができる。
【００５７】
なお、室内機２が保有する消費電力の積算データは、単一であるため、リモートコントローラ４操作によるデータ送信要求の場合もデータ表示装置５と同じように、その月（当月）のその時点までの消費電力の積算データが表示されることになる。
【００５８】
また、データ表示装置５において、図５のステップＳ１１に示すような日時の設定を行なった場合には、ステップＳ１２に示すようにリセット信号が室内機２に送信され、ステップＳ９に示すように消費電力の積算データがリセットされる。このため、日時の設定を行なった月の消費電力量の積算開始日が明確になる。これにより、日時の設定を行なった月の消費電力量がいつから積算されたものであるかが不明であるという事態の発生を防止することができる。
【００５９】
また、室内機２にはタイマ１１が設けられており、このタイマ１１が図４のステップＳ１に示すように日数（Ｔ）のカウントを行なっている。そして、この日数（Ｔ）がステップＳ５に示すように３１日を越えた場合には、言い換えると、カウントした日数（Ｔ）が直近の積算データのリセットが行なわれた後にデータ表示装置５からリセット信号が送信される最大間隔（３１日）より遅れた場合には、ステップＳ９によって消費電力の積算データがリセットされ、ステップＳ４に示すように消費電力量の積算が新たに開始される。
【００６０】
したがって、月が変わった場合にデータ表示装置５から送信されるリセット信号（Ｓ１５参照）を何等かの原因で室内機２が受信できず、リセット信号を受信することにより行なわれる消費電力の積算データのリセット（Ｓ８、Ｓ９参照）が行なわれなかった場合でも、直近の積算データのリセットが行なわれてから３１日を越えた場合には、消費電力の積算データのリセットが自動的に行なわれる（Ｓ５、Ｓ９参照）。
【００６１】
これにより、例えば、２月（２月の日数は２８日）から３月に月が変わった場合にデータ表示装置５から送信されるリセット信号を室内機２が受信できなかった場合でも、タイマ１１のカウント結果に基づいて消費電力の積算データがリセットされる。この場合のリセットは正規にリセットされた場合に比べて３日遅れとなり、３月分の消費電力の積算期間の開始日も３日遅れとなるが、３月分の消費電力の積算期間が大幅にずれることを防止することができる。
【００６２】
積算データのリセットが室内機２のタイマ１１によって自動的に行われた場合において、翌月（４月）に月が変わった場合にデータ表示装置５から送信されるリセット信号を室内機２が受信すれば、４月分の消費電力の積算はその月の１日から正確に開始される。
【００６３】
なお、本実施の形態では、室内機２では各月ごとの消費電力を積算し、消費電力の積算データをデータ表示装置５の表示部２９に表示する場合を例に挙げて説明したが、この消費電力に代えて電気料金を求めて積算し、積算した電気料金を表示部２９に表示するようにしてもよい。この際、室内機２で消費電力を積算し、消費電力の積算データをデータ表示装置５に送信し、データ表示装置５において消費電力量から電気料金に換算し、表示部２９に電気料金の積算データを表示するようにしてもよい。
【００６４】
なお、以上の実施の形態においては、毎月１日の０：００時にリセット信号を送信させるように構成し、カレンダー上の月を区切りに消費電力または電気料金を積算させるようにしたが、他の実施の形態としてデータ表示装置５に各種の設定キーと、これらの設定キーを操作することにより室内機２にリセット信号を送信する最初の日時と、以後のリセット信号を送信する間隔をユーザが任意に設定する手段とを設けてもよい。
【００６５】
ユーザがリセット信号を送信する日時を任意に設定することにより、例えば、正月休み期間中などのある一定期間中の消費電力量を知ることができる。また、ユーザがリセット信号を送信する間隔を任意に設定することにより、例えば、１週間毎の消費電力量を知ることができるようになる。また、毎月の特定の日にリセット信号を送信するように設定することも可能となる。
【図面の簡単な説明】
【００６６】
【図１】本発明の一実施の形態に係る空気調和機の全体構成を示す斜視図である。
【図２】データ表示装置の表示部の表示例を示す正面図である。
【図３】空気調和機の全体構成を示すブロック図である。
【図４】室内機の制御について説明するフローチャートである。
【図５】データ表示装置の制御について説明するフローチャートである。
【符号の説明】
【００６７】
１…空気調和機、２…室内機（空気調和機本体）、５…データ表示装置、１１…タイマ（時計手段）、３２…時計手段
【図１】
2009236423.tif 000003
【図２】
2009236423.tif 000004
【図３】
2009236423.tif 000005
【図４】
2009236423.tif 000006
【図５】
2009236423.tif 000007